(57)【要約】【課題】記録媒体上の画像の光沢感を、目視評価とほぼ一致させて、客観的数値によって評価する方法及び装置を提供する。【解決手段】評価方法は、式（１）：  Ｃ＝Ｓ／（Ｗ−Ｒ）              （１）（Ｃは光沢鮮明度、Ｓは写像性値、Ｗは全幅光沢度、Ｒは限幅光沢度）によって計算される光沢鮮明度（Ｃ）に基づいて評価する。装置１０は、記録画像サンプル２又は標準鏡面板の載置台１、載置台上の記録画像サンプル又は標準鏡面板に光を照射することのできる光源１１、載置台上の記録画像サンプル又は標準鏡面板からの反射光を受光することのできる受光器２１、及び写像性値測定モードでは、受光器の前に移動可能な光学クシを設けることができ、限幅光沢度測定モードでは、受光器の前に限幅スリットを設けることができ、全幅光沢度測定モードでは、限幅スリットを受光器の前から取り除くことができる反射光測定補助手段２２を有する。【選択図】図５
2006064612.tif 000002
【特許請求の範囲】
【請求項１】
式（１）：
Ｃ＝Ｓ／（Ｗ−Ｒ）              （１）
（式中、Ｃは光沢鮮明度であり、Ｓは写像性値であり、Ｗは全幅光沢度であり、そしてＲは限幅光沢度である）
によって計算される光沢鮮明度（Ｃ）に基づいて、記録媒体上に形成された画像を評価する方法。
【請求項２】
写像性値（Ｓ）が、以下の計算式（２）：
Ｓ（ｎ）＝〔（Ｍ−ｍ）／（Ｍ＋ｍ）〕×１００      （２）
〔式中、Ｓ（ｎ）は、光学クシ幅がｎ（ｍｍ）のときの写像性値（％）であり、Ｍは、光学クシ幅がｎ（ｍｍ）のときの最高波高であり、そしてｍは、光学クシ幅がｎ（ｍｍ）のときの最低波高である〕
によって計算される値である、請求項１に記載の方法。
【請求項３】
全幅光沢度（Ｗ）が、光源から記録媒体に照射された入射光（Ｉ）に対する、観察者側の全反射光（Ｒｔ）の比率（Ｒｔ／Ｉ）である、請求項１又は２に記載の方法。
【請求項４】
限幅光沢度（Ｒ）が、標準鏡面板の正反射角における反射光強度（Ｒｓ）に対する、記録媒体の正反射角における反射光強度（Ｒｄ）の比率（Ｒｄ／Ｒｓ）と基準係数（Ａ）との積〔（Ｒｄ／Ｒｓ）×Ａ〕である、請求項１〜３のいずれか一項に記載の方法。
【請求項５】
（１）記録画像サンプル又は標準鏡面板の載置台、
（２）前記載置台上の記録画像サンプル又は標準鏡面板に光を照射することのできる光源、
（３）前記載置台上の記録画像サンプル又は標準鏡面板からの反射光を受光することのできる受光器、及び
（４）写像性値を測定するモードでは、前記受光器の前に移動可能な光学クシを設けることができ、限幅光沢度を測定するモードでは、前記受光器の前に限幅スリットを設けることができ、全幅光沢度を測定するモードでは、前記限幅スリットを前記受光器の前から取り除くことができる反射光測定補助手段を有する
ことを特徴とする、請求項１〜４のいずれか一項に記載の画像評価方法を実施する装置。
【請求項６】
入射光側の前記光源と前記載置台との間に、前記光源から前記載置台への方向に向かって、照射領域規制スリット及び平行光生成用レンズを順に設ける、請求項５に記載の装置。
【請求項７】
限幅光沢度測定モード及び全幅光沢度測定モードにおいて、入射光側の前記光源と前記照射領域規制スリットとの間に、集光レンズを、その焦点距離が前記照射領域規制スリットの位置になるように配置する、請求項６項に記載の装置。
【請求項８】
反射光側の前記載置台と前記受光器との間に、結像用レンズを有する、請求項５〜７のいずれか一項に記載の装置。
【請求項９】
（１）写像性値測定モードと、限幅光沢度測定モードと、全幅光沢度測定モードとを切り替えるモード切替手段、
（２）前記の各測定モードでの測定条件を設定する測定条件設定手段、
（３）反射光測定補助手段により、写像性値測定モードでは前記受光器の前に移動可能な光学クシを設け、限幅光沢度測定モードでは前記受光器の前に限幅スリットを設け、そして全幅光沢度測定モードでは前記限幅スリットを前記受光器の前から取り除く、反射光測定補助手段制御手段、
（４）光源及び入射光を制御する照射系制御手段、
（５）載置台における記録画像サンプル又は標準鏡面板の載置状態を制御する載置台制御手段、
（６）反射光の受光状態及び受光器を制御する受光系制御手段、
（７）受光器による測定値を記憶する測定値記憶手段、
（８）前記測定値から写像性値（Ｓ）、限幅光沢度（Ｒ）、全幅光沢度（Ｗ）、及び光沢鮮明度（Ｃ）を計算する演算手段、
（９）前記演算手段による演算結果を記憶する演算値記憶手段、及び
（１０）光沢鮮明度（Ｃ）を出力する光沢鮮明度出力手段
を有することを特徴とする、請求項５〜８のいずれか一項に記載の装置。
【発明の詳細な説明】
【技術分野】
【０００１】
本発明は、画像の評価方法及び評価装置に関する。本発明によれば、記録媒体上に形成された画像の光沢感を、肉眼による目視評価とほぼ一致させて、客観的な数値によって評価することができる。
【背景技術】
【０００２】
インクジェット記録技術の進歩により、従来は銀塩写真やオフセット印刷によってのみ実現されてきた高精細印刷の分野にまでインクジェット記録方法が用いられるようになっている。それに伴い、銀塩写真やオフセット印刷の分野で用いられてきた印画紙やアート紙等に匹敵する光沢性を有するインクジェット記録媒体が開発されている。
こうした光沢性記録媒体上に形成される記録画像の光沢感を客観的な数値によって評価する際には、指標（光沢規格）として光沢度や写像性が一般的に用いられており、光沢度測定装置や写像性測定装置によって測定した光沢度や写像性のデータは、見た目の光沢感と良好に相関しているとされている。
例えば、光沢タイプのインクジェット用葉書に関する調査研究（非特許文献１）でも、光沢規格として光沢度及び写像性が採用され、それらの実測値と肉眼による目視評価とを比較した結果が報告されている。その調査研究によれば、光沢度の実測値の場合には、見た目で光沢感が高く見える用紙でも光沢度の測定値が低いものや、反対に光沢感は低く感じるが光沢度の測定値が高いものがあり、見た目による光沢感とデータとが一致しないケースが多いという結果が得られたのに対し、写像性の実測値の場合には、見た目で光沢感が高く見えるものは用紙の写像性が高く、光沢感が低く見えるものは写像性が低い結果となり、見た目に感じる光沢感にほぼ即したデータが得られたことが報告され、光沢感の測定には写像性を用いることが最も適当であるとしている。
【０００３】
【非特許文献１】細川東洋一など「インクジェット用光沢葉書の紙質に関する調査報告」，郵政研究所月報  ２００３．１，ｐ４−２７
【発明の開示】
【発明が解決しようとする課題】
【０００４】
しかしながら、本発明者が、光沢タイプのインクジェット用記録媒体上に形成された記録画像に関して測定した光沢度や写像性のデータと、見た目の光沢感との相関性について更に研究したところ、特に写像性値が６０％以上の記録画像においては、見た目の光沢感と一致しない場合があることが分かった。例えば、写像性値が６０％以上で、光沢度の強度が高い場合には、目視では眩しさを感じ、フィルム調光沢が得られるのに対し、写像性値が同様に６０％以上であっても、光沢度の強度が低い場合には、目視では艶を感じ、陶器調光沢が得られる。すなわち、写像性値の測定のみで、見た目に感じる光沢感にほぼ即した評価を行うことが可能であると判断することは適切ではない。
【０００５】
なお、光沢タイプのインクジェット用記録媒体上に形成された光沢記録画像の中には、強い光が近距離から照射された場合に、強いギラツキによる不快感を発生させるものがある。例えば、裸電球や裸蛍光灯の照明が光沢記録画像に直接に照射されると、裸電球や裸蛍光灯の鮮明な鏡像がインク層表面に形成され、その強い反射光がギラツキとなって見る者に不快感を与えることがある。このように、強い照明が光沢記録画像に対して近距離で照射された場合にも、望ましい光沢感を有する光沢記録画像を客観的に数値によって、しかも見た目の光沢感と良好な相関性を示して、評価することができる指標は、従来全く提案されていない。
従って、本発明の課題は、見た目に感じる光沢感にほぼ即した評価を行う手法を提供することにあり、特には、強い照明が光沢記録画像に対して近距離で照射された場合にも、望ましい光沢感を有する光沢記録画像を客観的に数値によって、しかも見た目の光沢感と良好な相関性を示して、評価することができる手法を提供することにある。
【課題を解決するための手段】
【０００６】
前記の課題は、本発明により、式（１）：
Ｃ＝Ｓ／（Ｗ−Ｒ）              （１）
（式中、Ｃは光沢鮮明度であり、Ｓは写像性値であり、Ｗは全幅光沢度であり、そしてＲは限幅光沢度である）
によって計算される光沢鮮明度（Ｃ）に基づいて、記録媒体上に形成された画像を評価する方法によって解決することができる。
【０００７】
本発明方法の好ましい態様においては、写像性値（Ｓ）が、以下の計算式（２）：
Ｓ（ｎ）＝〔（Ｍ−ｍ）／（Ｍ＋ｍ）〕×１００      （２）
〔式中、Ｓ（ｎ）は、光学クシ幅がｎ（ｍｍ）のときの写像性値（％）であり、Ｍは、光学クシ幅がｎ（ｍｍ）のときの最高波高であり、そしてｍは、光学クシ幅がｎ（ｍｍ）のときの最低波高である〕
によって計算される値である。
本発明方法の別の好ましい態様においては、全幅光沢度（Ｗ）が、光源から記録媒体に照射された入射光（Ｉ）に対する、観察者側の全反射光（Ｒｔ）の比率（Ｒｔ／Ｉ）である。
本発明方法の更に別の好ましい態様においては、限幅光沢度（Ｒ）が、標準鏡面板の正反射角における反射光強度（Ｒｓ）に対する、記録媒体の正反射角における反射光強度（Ｒｄ）の比率（Ｒｄ／Ｒｓ）と基準係数（Ａ）との積〔（Ｒｄ／Ｒｓ）×Ａ〕である。
【０００８】
本発明は、
（１）記録画像サンプル又は標準鏡面板の載置台、
（２）前記載置台上の記録画像サンプル又は標準鏡面板に光を照射することのできる光源、
（３）前記載置台上の記録画像サンプル又は標準鏡面板からの反射光を受光することのできる受光器、及び
（４）写像性値を測定するモードでは、前記受光器の前に移動可能な光学クシを設けることができ、限幅光沢度を測定するモードでは、前記受光器の前に限幅スリットを設けることができ、全幅光沢度を測定するモードでは、前記限幅スリットを前記受光器の前から取り除くことができる反射光測定補助手段を有する
ことを特徴とする、前記の画像評価方法を実施する装置にも関する。
【０００９】
本発明装置の好ましい態様においては、入射光側の前記光源と前記載置台との間に、前記光源から前記載置台に向かって、照射領域規制スリット及び平行光生成用レンズを順に設け、更に、限幅光沢度測定モード及び全幅光沢度測定モードにおいて、入射光側の前記光源と前記照射領域規制スリットとの間に、集光レンズを、その焦点距離が前記照射領域規制スリットの位置になるように配置することができる。
本発明装置の別の好ましい態様においては、反射光側の前記載置台と前記受光器との間に、結像用レンズを有する。
本発明装置の更に別の好ましい態様においては、
（１）写像性値測定モードと、限幅光沢度測定モードと、全幅光沢度測定モードとを切り替えるモード切替手段、
（２）前記の各測定モードでの測定条件を設定する測定条件設定手段、
（３）反射光測定補助手段により、写像性値測定モードでは前記受光器の前に移動可能な光学クシを設け、限幅光沢度測定モードでは前記受光器の前に限幅スリットを設け、そして全幅光沢度測定モードでは前記限幅スリットを前記受光器の前から取り除く、反射光測定補助手段制御手段、
（４）光源及び入射光を制御する照射系制御手段、
（５）載置台における記録画像サンプル又は標準鏡面板の載置状態を制御する載置台制御手段、
（６）反射光の受光状態及び受光器を制御する受光系制御手段、
（７）受光器による測定値を記憶する測定値記憶手段、
（８）前記測定値から写像性値（Ｓ）、限幅光沢度（Ｒ）、全幅光沢度（Ｗ）、及び光沢鮮明度（Ｃ）を計算する演算手段、
（９）前記演算手段による演算結果を記憶する演算値記憶手段、及び
（１０）光沢鮮明度（Ｃ）を出力する光沢鮮明度出力手段
を有する。
【発明の効果】
【００１０】
本発明によれば、記録媒体上に形成された画像の光沢感を、肉眼による目視評価とほぼ一致させて、客観的な数値によって評価することができる。特に、強い照明が光沢記録画像に対して近距離で照射された場合にも、望ましい光沢感を有する光沢記録画像を客観的に数値によって、しかも見た目の光沢感と良好な相関性を示して、評価することができる。すなわち、照明の強度や距離に依存せずに、見た目の通りの光沢の質感を客観的に判定することができる。
本発明による前記「光沢鮮明度」によって評価すると、記録媒体が相互に異なる場合であっても、それらの記録媒体上に形成された記録画像に関して、目視のギラツキの感覚の差異を高精度で数値化することができる。
【発明を実施するための最良の形態】
【００１１】
本明細書において「写像性」とは、対象となる記録画像面に物体が写った際の像が、どの程度鮮明に歪みなく映し出されるかの尺度であり、例えば、ＪＩＳ  Ｈ８６８６「アルミニウム及びアルミニウム合金の陽極酸化皮膜の写像性測定方法」やＪＩＳ  Ｋ７１５０「プラスチックの光学的特性試験方法」に採用されている用語と同じ意味である。これは、像鮮明度、像鮮映性、あるいは鮮映性などとも称されている。
「写像性度」は、対象となる記録画像面に或る入射角（例えば、４５度又は６０度の入射角）で照射された光の反射光（例えば、４５度又は６０度の反射光）を、移動する光学クシ（例えば、幅が２．０ｍｍ、１．０ｍｍ、０．５ｍｍ、０．２５ｍｍ、０．１２５ｍｍの各スリットを有する光学クシ）を通して検知した光量の変動を波形としてとらえ、その変動波形から、以下の計算式（２）：
Ｓ（ｎ）＝〔（Ｍ−ｍ）／（Ｍ＋ｍ）〕×１００      （２）
〔式中、Ｓ（ｎ）は、光学クシ幅がｎ（ｍｍ）のときの写像性値（％）であり、Ｍは、光学クシ幅がｎ（ｍｍ）のときの最高波高であり、そしてｍは、光学クシ幅がｎ（ｍｍ）のときの最低波高である〕
によって計算される値である。本発明方法においては、入射角及び反射角が、例えば、４５°であり、光学クシ幅が、例えば、２．０ｍｍ（ｎ＝２．０ｍｍ）の場合のＳ（ｎ）〔すなわち、Ｓ（２．０）〕を用いることができる。写像性値は、公知の写像性測定装置（例えば、スガ試験機製の写像性測定器ＩＣＭ−１Ｔ）を用いて測定することができる。
【００１２】
「写像性度」を測定するための従来公知の装置について、図１に沿って具体的に説明する。
図１に示すとおり、光源Ａ１からの光線を照射領域規制スリットＳ１１から平行光生成用レンズＬ１１を経由して入射角θで試料Ｔ１に照射すると、反射光は、反射角θ’（一般には、入射角θ＝反射角θ’）で集光レンズＬ１２を経て、光学クシＳ１２に到達する。光学クシＳ１２は、図２に示すように、光を遮る遮断部１６と光を通す開口部１７とを有しており、しかも、開口部１７のスリット幅が、例えば、２．０ｍｍから０．１２５ｍｍへと順に狭くなっている。ここで、光学クシＳ１２を、スリット幅０．１２５ｍｍからスリット幅２．０ｍｍへと矢印Ｘの方向に移動させると、受光器Ｂ１によって検知される光量の変動は、感度調整器Ｄ１を経て記録計Ｅ１によって変動波形Ｆ１として表示される。こうして得られる変動波形Ｆ１を、模式的に図３に示す。なお、図３において、スリット幅０．２５ｍｍ及び０．１２５ｍｍの領域にも波形は現れるが、それらの波形を図示していない。また、暗部には波形は現れない。図３において、Ｍは、光学クシ幅がｎ（ｍｍ）のときの最高波高であり、ｍは、光学クシ幅がｎ（ｍｍ）のときの最低波高であり、そして記録方向を矢印Ｙで示す。こうして「Ｍ」及び「ｍ」の値が得られるので、これらの値から前記計算式（２）によって、光学クシ幅がｎ（ｍｍ）のときの写像性値（％）を計算することができる。
【００１３】
本発明方法においては、２種類の「光沢度」、すなわち、「全幅光沢度」（Ｗ）と「限幅光沢度」（Ｒ）とを用いる。ここで「全幅光沢度」（Ｗ）とは、光源から試料の記録画像面に入射し、観察者側に反射する反射光の内、全反射光に関するものであり、具体的には、光源から記録媒体サンプルに照射された入射光（Ｉ）に対する、観察者側の全反射光（Ｒｔ）の比率（Ｒｔ／Ｉ：％）である。一方、「限幅光沢度」とは、光源から試料の記録画像面に入射し、観察者側に反射する反射光の内、正反射光に関するものであり、具体的には、標準鏡面板の正反射角における反射光強度（Ｒｓ）に対する、記録媒体サンプルの正反射角における反射光強度（Ｒｄ）の比率（Ｒｄ／Ｒｓ）と基準係数（Ａ）との積〔（Ｒｄ／Ｒｓ）×Ａ〕、すなわち、標準鏡面板に対する記録媒体サンプルの正反射光の相対値である。ここで基準係数（Ａ）は任意の数字であるが、３０〜６０の範囲であることが好ましく、４０〜４５の範囲であることが更に好ましい。
【００１４】
以上のように、或る記録媒体サンプルから観察者側への反射光に関して、全反射光に関する因子（すなわち、吸収光を排除した因子）が「全幅光沢度」（Ｗ）であり、その内の正反射光に関する因子（すなわち、乱反射光を排除した因子）が「限幅光沢度」（Ｒ）である。
【００１５】
前記の「限幅光沢度」を測定する場合は、正反射光を測定するために、正反射角の方向に配置した受光器の前方にスリットを配置し、乱反射光が受光器に入射するのを防止する。一方、前記の「全幅光沢度」を測定する場合は、観察者が乱反射を含む全反射光を観察するのと同程度の角度範囲の全反射光を受光可能な受光手段を有する受光器を配置し、しかも、前記の「限幅光沢度」を測定する場合に用いるスリットを配置しないで、乱反射光を積極的に受光器に入射させる。
前記の「限幅光沢度」及び「全幅光沢度」の具体的な測定方法を、図４に沿って説明する。
【００１６】
図４において、光源Ａ２の前方に配置した結像用レンズＬ２１の焦点位置に照射領域規制スリットＳ２１を配置し、試料Ｔ２の位置に鏡面を置いたときに、前記スリットＳ２１の像が受光器Ｂ２の前方の限幅スリットＳ２２の中央に鮮明な像を結ぶように配置する。入射角θは、前記スリットＳ２１の中心と平行光生成用レンズＬ２２の中心とを結ぶ線ｉと、試料Ｔ２の法線Ｎとがなす角である。反射角θ’は、前記限幅スリットＳ２２の中心と結像用レンズＬ２３の中心とを結ぶ線ｒと、試料Ｔの法線Ｎとがなす角である。
【００１７】
図４に示す装置で「限幅光沢度」（Ｒ）を測定する場合は、入射角θに対応する正反射角（θ’）の位置に、結像用レンズＬ２３、限幅スリットＳ２２、及び受光器Ｂ２を配置する。最初に、標準鏡面板を試料Ｔ２の位置に置き、標準鏡面板の光沢度が或る基準値（基準係数Ａ）になるように光源Ａ２に印加する電圧を調整し、その電圧で光を試料Ｔ２に照射した場合に、標準鏡面板の光沢度に対する相対値として測定される反射光強度を「限幅光沢度」（Ｒ）とする。なお、正反射光を正確に測定している位置は、標準鏡面板の光沢度が最高値を示す位置、あるいは、試料Ｔ２の光沢度が最高値を示す位置であるので、それらの測定の際には、前記の正反射角（θ’）の前後の一定の移動角の範囲で、結像用レンズＬ２３、限幅スリットＳ２２及び受光器Ｂ２を一体的に回転移動させて、正反射光を正確に測定する位置を決定することができる。
【００１８】
例えば、入射角θを４５度とし、幅１ｍｍの前記照射領域規制スリットＳ２１から入射光を記録画像Ｔ２に対して照射したときに、前記記録画像Ｔ２により反射されて幅１．５ｍｍの前記限幅スリットＳ２２から放出された反射光について、反射角度４２度から４８度の移動角範囲で、標準鏡面板の光沢度が４２．５（基準係数Ａ）となるように光源Ａ２に印加する電圧を調整したとき、相対値として測定される反射光強度各値のうちの最高値が「限幅光沢度」（Ｒ）である。
【００１９】
次に、図４に示す装置で「全幅光沢度」（Ｗ）を測定する場合は、図４に示す測定装置において、受光器Ｂ２の前に配置してある限幅スリットＳ２２を取り除いて実施し、入射角θに対応する正反射角（θ’）の位置に、結像用レンズＬ２３及び受光器Ｂ２を配置し、前記の正反射角（θ’）の前後の一定の角度範囲で受光器Ｂ２の全受光量を測定し、その測定量を「全幅光沢度」（Ｗ）とする。「全幅光沢度」を測定する場合の角度範囲は、一般的に、観察者が受ける反射光の範囲であり、例えば、正反射角（θ’）±５度（１０度の角度範囲）ないし正反射角（θ’）±２０度（４０度の角度範囲）である。
【００２０】
例えば、入射角θを４５度とし、幅１ｍｍの前記照射領域規制スリットＳ２１から入射光を記録画像Ｔ２に対して照射したときに、前記記録画像Ｔ２からの反射光（すなわち、前記記録画像Ｔ２により反射され、前記限幅スリットＳ２２を介することなく受光器Ｂ２に到達する反射光）について、正反射角（θ’）±１０度（２０度の角度範囲）での受光器Ｂ２における受光量が「全幅光沢度」（Ｗ）である。
【００２１】
前記の「全幅光沢度」及び「限幅光沢度」は、いずれも、市販の光沢度計によって測定することができ、前記の「全幅光沢度」は、例えば、日本電工社製の光沢度計ＰＧ１Ｍにより、そして前記の「限幅光沢度」は、村上色彩技術研究所の自動変角光度計ＧＰ−２００型によって測定することができる。
【００２２】
前記の「全幅光沢度」及び「限幅光沢度」を測定する場合の入射光の入射角は、それぞれ同じ角度であることも異なる角度であることもできる。また、「写像性値」を測定する場合の入射光の入射角も、「全幅光沢度」及び／又は「限幅光沢度」を測定する場合の入射光の入射角と同じ角度であることも異なる角度であることもできる。
【００２３】
前記の「写像性値」を測定する場合の反射光を受光する角度は、入射光の正反射角の方向の反射光であることが好ましく、正反射角から若干（例えば、３度前後の範囲で）ずれていてもよい。
【００２４】
後述する実施例に示すように、全幅光沢度（Ｗ）、限幅光沢度（Ｒ）、及び写像性値（Ｓ）から前記式（１）によって算出される光沢鮮明度（Ｃ）に基づいて、記録媒体上に形成された画像を評価すると、強い照明が光沢記録画像に対して近距離で照射された場合でも、見た目の光沢感と良好な相関性を示して、光沢記録画像を客観的に数値によって評価することができる。なお、前記式（１）の分母は、乱反射を含む全反射光に関する入射光に対する比率である全幅光沢度（Ｗ）と、乱反射を排除した正反射光における標準鏡面板光沢度に対する相対値である限幅光沢度（Ｒ）との差（Ｗ−Ｒ）であり、これらの全幅光沢度（Ｗ）と限幅光沢度（Ｒ）とは、光学的物理量としては全く無関係な数値であるにもかかわらず、それらの単純な差を分母に含む前記式（１）によって算出される光沢鮮明度（Ｃ）が、見た目の光沢感と良好な相関性を示す理由は、現在のところ不明であるが、以下のように解釈することもできる。
【００２５】
記録画像サンプルに、一定の入射角で一定量の光を照射した場合の反射光に関して、全幅光沢度と限幅光沢度との差を取ると、限幅光沢度測定において受光器の前に設ける限幅スリット内に入射しない拡散反射強度を簡易的に抽出したことになり、この値が小さいほど、拡散反射が少ないことになると考えられる。
また、写像性値は、特定の光学クシ幅以内での振幅強度比を示すので、正反射と拡散反射の割合を示しているといえる。この値が大きいほど、正反射光の角度から特定の光学クシ幅以内での拡散反射が少ないことになると考えられる。
本発明方法で用いる前記式（１）で表される計算式において、「Ｗ−Ｒ」（すなわち、「全幅光沢度」−「限幅光沢度」）は、正反射光の角度から離れた領域の拡散反射強度を示しており、写像性値（Ｓ）は、正反射光の角度近傍の拡散反射強度を示していると考えられる。従って、前記式（１）で表される計算式によって算出される光沢鮮明度（Ｃ）は、拡散反射光の少なさを示すことになるので、目視によるギラツキ感と優れた相関を示す指標となる。また、本発明方法で用いる前記式（１）で表される計算式において用いる光沢度（すなわち、全幅光沢度及び限幅光沢度）は、粒子の性質をもつ光線の強度に由来する平滑性を反映するのに対し、写像性度は光の波の性質に由来する平滑性を反映していると言うことができ、従って、前記式（１）で表される計算式によって算出される光沢鮮明度（Ｃ）は、粒子としての光の性質と、波としての光の性質との両方を反映して光沢感を数値化していることになり、見た目の光沢感との相関が理論的にも向上することになる。
なお、前記の推論は、本発明方法によって、見た目の光沢感との相関が、後述する実施例に示すとおり実際に向上する現象を理解するための仮説であり、本発明の範囲を限定するものではない。
【００２６】
本発明方法によって評価することのできる対象は、記録媒体上に形成された画像である限り特に限定されず、例えば、各種の印刷方法によって各種記録媒体上に形成された任意の印刷画像である。印刷方法としては、例えば、インクジェット記録方法、オフセット印刷、スクリーン印刷などの印刷物、あるいは銀塩写真の現像画像を挙げることができる。記録媒体としては、例えば、前記各印刷方法用の専用紙、特には光沢紙を挙げることができ、普通紙についても適用することができる。
また、画像は、モノクロ画像やカラー画像のいずれにも適用可能である。
【００２７】
本発明方法は、本発明による装置によって簡便に測定することができる。
本発明装置を、図５及び図６に沿って説明する。
図５に示すとおり、本発明装置１０は、記録画像サンプル２（又は標準鏡面板）を載せる載置台１と、前記載置台１の上の記録画像サンプル２（又は標準鏡面板）に光を照射することのできる光源１１と、前記載置台１の上の記録画像サンプル２（又は標準鏡面板）からの反射光を受光することのできる受光器２１、及び前記受光器２１の前に配置した反射光測定補助手段２２を有する。
【００２８】
前記の反射光測定補助手段２２は、本発明装置１０を写像性値測定モードにセットした場合には、光学クシを移動可能に配置することができ、限幅光沢度測定モードにおいては、限幅スリットを回転移動可能に配置することができ、全幅光沢度測定モードでは、前記限幅スリットを取り除くことができる。なお、本発明装置１０は、モード切替手段（図６参照）を備えており、前記の写像性値測定モード、限幅光沢度測定モード、及び全幅光沢度測定モードにそれぞれ切り替えることができる。
【００２９】
本発明装置１０は、入射光側において、前記光源１１と前記載置台１との間に、照射領域規制スリット１３を設けることができる。また、同様に、前記光源１１と前記載置台１との間に、平行光生成用レンズ１４を設けることもできる。前記光源１１と前記載置台１との間に、照射領域規制スリット１３と平行光生成用レンズ１４との両方を設ける場合には、図５に示すとおり、前記光源１１から前記載置台１に向かって、照射領域規制スリット１３及び平行光生成用レンズ１４の順に設けることが好ましい。また、入射光側には、限幅光沢度測定モード及び全幅光沢度測定モードにおいて、前記光源１１と前記照射領域規制スリット１３との間に、集光レンズ１２を、その焦点距離が前記照射領域規制スリット１３の位置になるように配置するのが好ましい。
【００３０】
本発明装置１０は、反射光側において、前記載置台１と前記反射光測定補助手段２２との間に、結像用レンズ２３を設けることができる。
【００３１】
図６は、本発明装置１０が有する制御装置のブロック図である。図６に示すとおり、本発明装置１０は、
（１）写像性値測定モードと、限幅光沢度測定モードと、全幅光沢度測定モードとを切り替えるモード切替手段３１、
（２）前記の各測定モードでの測定条件を設定する測定条件設定手段３２、
（３）反射光測定補助手段２２により、写像性値測定モードでは前記受光器２１の前に移動可能な光学クシを設け、限幅光沢度測定モードでは前記受光器２１の前に限幅スリットを設け、そして全幅光沢度測定モードでは前記限幅スリットを前記受光器２１の前から取り除く、反射光測定補助手段制御手段３３、
（４）光源１１及び入射光を制御する照射系制御手段３４、
（５）載置台１における記録画像サンプル２又は標準鏡面板の載置状態を制御する載置台制御手段３５、
（６）反射光の受光状態及び受光器２１を制御する受光系制御手段３６、
（７）受光器２１による測定値を記憶する測定値記憶手段３７ａ、
（８）前記測定値から写像性値（Ｓ）、限幅光沢度（Ｒ）、全幅光沢度（Ｗ）、及び光沢鮮明度（Ｃ）を計算する演算手段３８、
（９）前記演算手段による演算結果を記憶する演算値記憶手段３７ｂ、及び
（１０）光沢鮮明度（Ｃ）を出力する光沢鮮明度出力手段３９
を有する。
【００３２】
モード切替手段３１は、本発明装置１０を、写像性値測定モード、限幅光沢度測定モード、又は全幅光沢度測定モードのいずれかに切り替える手段であり、例えば、操作パネル（図示せず）によって測定実施者が入力することによって切り替えるか、あるいは、測定開始スイッチのオンにより、自動的に順次切り替えることができる。
【００３３】
測定条件設定手段３２は、写像性値測定モード、限幅光沢度測定モード、及び全幅光沢度測定モードの各々における測定条件を設定する手段である。前記の設定は、例えば、操作パネル（図示せず）によって測定実施者が入力することによって行うことができる。測定条件設定手段３２は、写像性値測定モード、限幅光沢度測定モード、及び全幅光沢度測定モードの各々における入射角を設定する入射角設定部３２ｂ、受光角を設定する受光角設定部３２ｃ、及び載置台における記録画像サンプル又は標準鏡面板の載置状態を設定する載置台設定部３２ｄを含んでおり、更に、写像性値測定モードにおける光学クシの幅を設定する光学クシ幅設定部３２ａを有している。
更に、各測定モードにおける光源１１の光量や、照射系における集光レンズ１２、照射領域規制スリット１３、及び平行光生成用レンズ１４の配置位置やそれらの間隔などを設定ないし変更することもできる。また、受光系における反射光測定補助手段２２や結像用レンズ２３の配置位置やそれらの間隔などを設定ないし変更することもできる。
【００３４】
反射光測定補助手段制御手段３３は、前記モード切替手段３１からの指令に応じて、反射光測定補助手段２２により、写像性値測定モードでは前記受光器２１の前に移動可能な光学クシを設け、限幅光沢度測定モードでは前記受光器２１の前に限幅スリットを設け、そして全幅光沢度測定モードでは前記限幅スリットを前記受光器２１の前から取り除く。また、例えば、写像性値測定モードでは、光学クシ幅設定部３２ａによる設定に応じて、必要な光学クシ幅に反射光を通過させるように反射光測定補助手段２２を移動させ、更には、受光系制御手段３６に対して、測定すべき光学クシ幅に関する情報を送信する。
【００３５】
照射系制御手段３４は、モード切替手段３１及び測定条件設定手段３２からの信号に応じて、照射系に含まれる光源１１の照射強度などを制御する光量制御部３４ａ、並びに光源１１、集光レンズ１２、照射領域規制スリット１３、及び平行光生成用レンズ１４の配置位置を制御する配置制御部３４ｂを有する。更に、例えば、写像性値測定モードにおいて平行光生成用レンズ１４の配置が不要な場合には、その平行光生成用レンズ１４を照射系から取り外すこともできる。
【００３６】
載置台制御手段３５は、モード切替手段３１及び測定条件設定手段３２からの信号に応じて、載置台１における記録画像サンプル２又は標準鏡面板の載置状態の制御、例えば、煽り角度の調整や、記録画像サンプル２と標準鏡面板との切り替えなどの制御を行う。
【００３７】
受光系制御手段３６は、モード切替手段３１及び測定条件設定手段３２からの信号に応じて、受光系に含まれる受光器２１、反射光測定補助手段２２、及び結像用レンズ２３の配置位置を制御すると共に、写像性値測定モード、限幅光沢度測定モード、及び全幅光沢度測定モードにおける測定を実施する。
【００３８】
記憶手段３７は、受光器２１による測定値を記憶する測定値記憶部３７ａと、前記演算手段３８による演算結果を記憶する演算値記憶部３７ｂとを含む。測定値記憶部３７ａには、写像性値測定モードにおいて測定される最高波高及び最低波高の測定値を記憶する領域、限幅光沢度測定モードにおいて測定される各反射光強度を記憶する領域、及び全幅光沢度測定モードにおいて測定される受光量積算値を記憶する領域を有している。
【００３９】
演算手段３８は、写像性値測定モードにおいて測定され、測定値記憶部３７ａに記憶されている最高波高及び最低波高を用いて、前記計算式（２）から写像性値（Ｓ）を計算し、その計算結果を前記記憶手段３７に送信して、演算値記憶部３７ｂに記憶させる。また、限幅光沢度測定モードにおいて測定され、測定値記憶部３７ａに記憶されている各反射光強度から最高値〔すなわち、限幅光沢度（Ｒ）〕を見出し、その結果を前記記憶手段３７に送信して、演算値記憶部３７ｂに記憶させる。更に、演算値記憶部３７ｂに記憶されている写像性値（Ｓ）及び限幅光沢度（Ｒ）、並びに測定値記憶部３７ａに記憶されている全幅光沢度（Ｗ）を用いて、前記計算式（１）から光沢鮮明度（Ｃ）を計算し、その計算結果を前記記憶手段３７に送信して、演算値記憶部３７ｂに記憶させる。
【００４０】
出力手段３９は、例えば、ディスプレー又はプリンタであり、演算値記憶部３７ｂに記憶させている光沢鮮明度（Ｃ）、あるいは演算手段３８によって算出された光沢鮮明度（Ｃ）を出力することができる。
【実施例】
【００４１】
以下、実施例によって本発明を具体的に説明するが、これらは本発明の範囲を限定するものではない。
【００４２】
（１）評価対象物の準備
本発明の評価方法を適用するための記録画像サンプルとして、表１に示すインクジェット記録画像３種と、銀塩写真記録画像１種とを準備した。
各記録画像のデータは、コンピュータ上でフォトレタッチソフト（ｐｈｏｔｏｓｈｏｐ；Ａｄｏｂｅ  Ｓｙｓｔｅｍｓ社）によって、７色のベタのＪＰＥＧ画像を作成し、そのデータから一般のデジタルフォトプリントサービス店で印刷した記録画像をサンプルとして用いた。なお、７色とは、レッド（Ｒ）、グリーン（Ｇ）、ブルー（Ｂ）、シアン（Ｃ）、マゼンタ（Ｍ）、イエロー（Ｙ）、及びブラック（Ｋ）であり、以下の表１では括弧内の英字記号で示す。
インクジェットプリンタを用いる場合には、各プリンタでの印刷設定を、最高画質・写真用紙「光沢」とし、記録媒体として写真用紙（光沢；セイコーエプソン株式会社製；Ａ４版）を用い、銀塩写真については写真用印画紙（ＫＯＮＩＣＡ  ＤＥＧＩＴＡＬ  ＬＯＮＧ  ＬＩＦＥ  １００；コニカ社；Ａ４版）を用いた。詳細は以下の通りである。
（ａ）ＰＭ−９８０Ｃ
インクジェット用染料インクにより、インクジェットプリンタ（ＰＭ−９８０Ｃ；セイコーエプソン社）で写真用紙「光沢」にインクジェットプリントした記録画像サンプルである。
（ｂ）ＰＸ−Ｇ９００
インクジェット用顔料インクにより、インクジェットプリンタ（ＰＸ−Ｇ９００；セイコーエプソン社）で写真用紙「光沢」にインクジェットプリントした記録画像サンプルである。
（ｃ）ＰＭ−４０００ＰＸ
インクジェット用顔料インクにより、インクジェットプリンタ（ＰＭ−４０００ＰＸ；セイコーエプソン社）で写真用紙「光沢」にインクジェットプリントした記録画像サンプルである。
（ｄ）銀塩写真
銀塩写真用印画紙にプリントした記録画像サンプルである。
（ｅ）標準鏡面板
以下に記載の各測定器に備えてある標準鏡面板を用いた。
【００４３】
（２）限幅光沢度（Ｒ）の測定
限幅光沢度は、村上色彩技術研究所の自動変角光度計（ＧＰ−２００型）を使用し、入射角４５度（スリット幅：入射側直径＝１ｍｍ、反射側直径＝１．５ｍｍ）、感度５００、煽り角度０度で、反射角４２度〜４８度の反射光強度を測定した。このとき、光源にハロゲンランプ（１２Ｖ，５０Ｗ）、フィルターにＮＤ−１０を用い、標準鏡面板の光沢度が４２．５になるように、光源に印加する電圧を調整した。記録画像サンプルについて、この測定条件下で測定される反射光強度各値のうちの最高値を限幅光沢度とし、得られた結果を表１に示す。再現誤差は±２．０以下であった。
なお、インクジェット記録画像に対する入射光の照射方向を図７に示す。すなわち、インクジェット記録画像サンプル４１が、プリンタヘッドの走査方向Ｚの記録画像を有する場合には、その走査方向Ｚに直交する方向から入射光Ｉを照射し、その反射光Ｒを測定した。以下の全幅光沢度（Ｗ）の測定及び写像性値（Ｓ）の測定においても、同様に、走査方向Ｚに直交する方向から入射光Ｉを照射した。
結果を表１に示す。
【００４４】
（３）全幅光沢度（Ｗ）の測定
全幅光沢度としては、日本電工社製の光沢度計ＰＧ１Ｍを用いて、正反射角６０度における光沢度を測定した。前記光沢度計は、反射光側の限幅スリットを備えておらず、受光器として固定されたフォトダイオードを備えている。結果を表１に示す。
【００４５】
（４）写像性値（Ｓ）の測定
写像性値は、スガ試験機製の写像性測定器ＩＣＭ−１Ｔを用いて、標準鏡面板でゲイン調整を行い、各記録画像サンプルについて２回の測定を行い、その平均値を写像性値とした。入射光と反射光は共に４５度に設定し、光学クシ幅が２．０ｍｍのときの写像性値（％）を計算した。結果を表１に示す。
【００４６】
（５）光沢鮮明度（Ｃ）の算出
前項（２）〜（４）によって得られた「限幅光沢度（Ｒ）」、「全幅光沢度（Ｗ）」、及び「写像性値（Ｓ）」から、式（１）：
Ｃ＝Ｓ／（Ｗ−Ｒ）              （１）
によって光沢鮮明度（Ｃ）計算した。その結果を表１に示す。
【００４７】
（６）肉眼による目視評価
各記録画像サンプル及び標準鏡面板の光沢性の目視判定を行った。この判定試験者は、無作為に抽出した２０代から４０代の５０名である。
評価室内の水平な机上に記録画像サンプルを置いた。評価室内の光源は、記録画像サンプルを置いた机の鉛直方向の真上に、２ｍの距離を隔てた天井に蛍光灯（National社製ＦＬＲ４０Ｓ−Ｗ／Ｍ−Ｘ）１基が設置されており、それ以外の光源は全く存在させなかった。判定試験者は、記録画像サンプルに対して４５°の斜め上方の横方向から観察を行い、以下の５段階の判定基準に従って評価点（５点〜１点）をつけた。
５点：完全な鏡面と認識できるレベルの光沢性を感じる。
４点：光沢性を充分に感じ、ギラツキを感じない。
３点：光沢性が若干、不充分に感じるが、ギラツキを感じない。
２点：光沢性が不充分に感じ、ギラツキを感じる。
１点：光沢性がないことがはっきりとわかる。
次に、判定試験者５０名の各評価点の平均点を計算し、以下の５段階で評価した。
Ｓ：４．５点以上
ＡＡ：３．５点以上で４．５点未満
Ａ：２．５点以上で３．５点未満
Ｂ：１．５点以上で２．５点未満
Ｃ：１．５点未満
以上の評価結果を表１に示す。
【００４８】
【表１】
2006064612.tif 000003
【産業上の利用可能性】
【００４９】
記録媒体上に形成された画像の光沢感を、肉眼による目視評価とほぼ一致させて、客観的な数値によって評価することができる。
また、材料ごとに、あるいは求める光沢の質感ごとに、任意に目標とする光沢を設定することができる。更に、材料開発の指標になるだけではなく、製品の品質検査等に活用することができる。
【図面の簡単な説明】
【００５０】
【図１】写像性度測定用の従来公知の装置の構造を模式的に示す説明図である。
【図２】図１の装置で用いる光学クシの構造を示す正面図である。
【図３】図１の装置によって得られる変動波形を模式的に示すグラフである。
【図４】全幅光沢度及び限幅光沢度を測定する従来公知の装置の構造を模式的に示す説明図である。
【図５】本発明装置の構造を模式的に示す説明図である。
【図６】本発明装置の構造を模式的に示すブロック図である。
【図７】インクジェット記録画像に対する入射光の照射方向を示す説明図である。
【符号の説明】
【００５１】
１・・・載置台；Ｔ１，Ｔ２，２・・・試料；１０・・・本発明装置；
Ａ１，Ａ２，１１・・・光源；Ｌ２１，１２・・・集光レンズ；
Ｓ１１，Ｓ２１，１３・・・照射領域規制スリット；
Ｌ１１，Ｌ２２，１４・・・平行光生成用レンズ；
１６・・・光学クシ遮断部；１７・・・光学クシ開口部；
Ｂ１，Ｂ２，２１・・・受光器；Ｓ１２・・・光学クシ；Ｓ２２・・・限幅スリット；
２２・・・反射光測定補助手段；２３・・・結像用レンズ；
３１・・・モード切替手段；３２・・・測定条件設定手段；
３３・・・反射光測定補助手段制御手段；
３４・・・照射系制御手段；３５・・・載置台制御手段；
３６・・・受光系制御手段；３７・・・記憶手段；
３８・・・演算手段；３９・・・光沢鮮明度出力手段；
４１・・・記録画像サンプル。
【図１】
2006064612.tif 000004
【図２】
2006064612.tif 000005
【図３】
2006064612.tif 000006
【図４】
2006064612.tif 000007
【図５】
2006064612.tif 000008
【図６】
2006064612.tif 000009
【図７】
2006064612.tif 000010